(57)【要約】【課題】  ユーザが携帯端末のテレビ電話を通じて、単一の電話番号をかけることで、録画が開始でき、送信先に録画ファイルを容易に送信する。【解決手段】  録画サーバ３００は、携帯端末１００と接続される回線終端機能３１０と、携帯端末１００からの録画を行いファイルへの変換を行う録画ファイル蓄積機能３２０と、携帯端末１００からの録画を受信し格納する位置情報管理機能３４０と、送信先を指定する送信先指定機能３３０とを備える。録画サーバ３００は、録画容量、時刻情報、携帯端末の位置情報などの録画状態を管理し、ユーザプロファイルサーバ２００は、録画サーバ３００が管理した録画状態に基づき、送信先を指定するルールを格納する。送信先の情報は、複数の送信先のアドレス、複数の送信先に対応したファイル形式、あるいは複数の送信先に対応した送信プロトコルを含む。【選択図】      図１
2006319579.tif 000002
【特許請求の範囲】
【請求項１】
テレビ電話機能を有する携帯端末と、前記携帯端末から前記テレビ電話機能を介して所定の送信先に録画ファイルを送信する映像アップロードシステムにおいて、
前記携帯端末と接続される回線終端機能と、前記携帯端末からの録画を行いファイルへの変換を行う録画ファイル蓄積機能と、前記携帯端末から位置情報を受信し、一時的に保管する位置情報管理機能と、送信先を指定する送信先指定機能と、前記送信先に送信する送信機能とを備えた録画サーバと、
前記録画サーバの前記送信先指定機能を介してあらかじめ送信先に係る送信先情報及び送信先を指定する際に用いる送信先指定ルールを登録しておき、前記携帯端末からユーザ登録に係る情報を受け付けるユーザプロファイルサーバと、
を備え、前記携帯電話から単一の電話番号をかけることで、所望の送信先に前記録画ファイルを送信することを特徴とする、映像アップロードシステム。
【請求項２】
請求項１に記載した映像アップロードシステムに適用される録画サーバであって、録画容量、時刻情報、携帯端末の位置情報などの録画状況を管理し、該録画状況に応じて前記送信先指定ルールに基づいて送信先を指定することを特徴とする、録画サーバ。
【請求項３】
請求項２に記載した録画サーバであって、前記送信先情報は、複数の送信先のアドレス、複数の送信先に対応したファイル形式、複数の送信先に対応した送信プロトコルの少なくとも１つを含み、前記録画状態及び前記送信先の情報を利用して自動的に送信を行うことを特徴とする、録画サーバ。
【請求項４】
請求項２に記載した録画サーバであって、前記携帯端末の指示により、送信先のアドレス、ファイル形式、又は送信プロトコルの少なくとも１つを指定し、手動で送信を行うことを特徴とする、録画サーバ。
【請求項５】
テレビ電話機能を有する携帯端末から前記テレビ電話機能を介して所定の送信先に録画ファイルを送信する映像アップロード方法において、
前記携帯端末と接続する回線終端ステップと、
前記携帯端末からの録画を行いファイルへの変換を行う録画ファイル蓄積ステップと、
前記携帯端末から位置情報を受信し、一時的に保管する位置情報管理ステップと、
前記携帯端末からの送信先を指定する送信先指定ステップと、
前記送信先に送信する送信ステップとを含み、
前記送信先指定ステップにおいて、あらかじめ送信先に係る送信先情報及び送信先を指定する際に用いる送信先指定ルールを登録する事前登録ステップを含み、前記携帯電話から単一の電話番号をかけることで、所望の送信先に前記録画ファイルを送信することを特徴とする、映像アップロード方法。
【発明の詳細な説明】
【技術分野】
【０００１】
本発明は、テレビ電話機能搭載の携帯端末を利用し、ＮＷ（Ｎｅｔｗｏｒｋ）側の録画、及び録画されたファイルの送信を実施する映像アップロードシステム、録画サーバ、及び映像アップロード方法に関する。
【背景技術】
【０００２】
近年の携帯端末は、テレビ電話機能が装備されており、携帯端末間との間のテレビ電話通信に加え、端末とサーバとの間のテレビ電話通信も可能となっている。さらに、携帯端末と録画サーバとの間でテレビ電話を利用し、サーバでの映像録画も可能となっている。
このような映像アップロードシステムとして、特許文献１には、録画予約情報を利用者の携帯端末から通信ネットワークを介して受信し、録画予約情報に従って録画が可能か否かを判断し、録画が可能な場合、映像記録装置の録画予約後の残容量を含む装置の内部状態を取得し、該内部状態を通信ネットワーク上のＷｅｂサーバへ送信し、更に、録画予約情報が登録されたこと及び前記ＷｅｂサーバのＵＲＬを示すメールを利用者の携帯端末に返信することが記載されている。
【０００３】
また、特許文献２には、従来型の録画再生装置で番組を録画した場合でも、録画情報をホームネットワーク上の他の機器に転送することが記載されている。
【特許文献１】特開２００４−３２８３７５号公報
【特許文献２】特開２００１−１４８８２６号公報
【発明の開示】
【発明が解決しようとする課題】
【０００４】
しかしながら、上述した従来のシステムにおいては、録画目的に対応した複数の送信先がある場合、それぞれの送信先に録画機能を装備する必要があり、ユーザは録画する際、録画目的に応じてそれぞれの送信先の電話番号にテレビ電話で接続する必要があり、さらに、送信先の電話番号を管理する必要があった。
すなわち、上述した映像録画の送信においては、社内ＦＴＰサーバ、公共メールサーバ、個人ウェブサーバ等異なる録画の目的に対応した複数の送信先がある場合、それぞれの送信先を録画サーバと連携させる必要があり、ユーザは録画する際、目的に応じてそれぞれ送信先の電話番号にテレビ電話で接続する必要があり、さらに、送信先の電話番号を管理する手間がかかるという問題があった。
本発明は、上述した事情を鑑みてなされたものであって、ユーザが携帯端末のテレビ電話を通じて、単一の電話番号をかけることで、録画が開始でき、送信先に録画ファイルを容易に送信することができる映像アップロードシステムを提供することを目的としている。
【課題を解決するための手段】
【０００５】
上記課題を解決するために、請求項１記載の映像アップロードシステムは、テレビ電話機能を有する携帯端末と、前記携帯端末から前記テレビ電話機能を介して所定の送信先に録画ファイルを送信する映像アップロードシステムにおいて、前記携帯端末と接続される回線終端機能と、前記携帯端末からの録画を行いファイルへの変換を行う録画ファイル蓄積機能と、前記携帯端末から位置情報を受信し、一時的に保管する位置情報管理機能と、送信先を指定する送信先指定機能と、前記送信先に送信する送信機能とを備えた録画サーバと、前記録画サーバの前記送信先指定機能を介してあらかじめ送信先に係る送信先情報及び送信先を指定する際に用いる送信先指定ルールを登録しておき、前記携帯端末からユーザ登録に係る情報を受け付けるユーザプロファイルサーバと、を備え、前記携帯電話から単一の電話番号をかけることで、所望の送信先に前記録画ファイルを送信することを特徴とする。
【０００６】
また、請求項２記載の発明は、請求項１に記載した映像アップロードシステムに適用される録画サーバであって、録画容量、時刻情報、携帯端末の位置情報などの録画状況を管理し、該録画状況に応じて前記送信先指定ルールに基づいて送信先を指定することを特徴とする。
また、請求項３記載の発明は、請求項２に記載した録画サーバであって、前記送信先情報は、複数の送信先のアドレス、複数の送信先に対応したファイル形式、複数の送信先に対応した送信プロトコルの少なくとも１つを含み、前記録画状態及び前記送信先の情報を利用して自動的に送信を行うことを特徴とする。
また、請求項４記載の発明は、請求項２に記載した録画サーバであって、前記携帯端末の指示により、送信先のアドレス、ファイル形式、又は送信プロトコルの少なくとも１つを指定し、手動で送信を行うことを特徴とする。
【０００７】
また、請求項５記載の映像アップロード方法は、テレビ電話機能を有する携帯端末から前記テレビ電話機能を介して所定の送信先に録画ファイルを送信する映像アップロード方法において、前記携帯端末と接続する回線終端ステップと、前記携帯端末からの録画を行いファイルへの変換を行う録画ファイル蓄積ステップと、前記携帯端末から位置情報を受信し、一時的に保管する位置情報管理ステップと、前記携帯端末からの送信先を指定する送信先指定ステップと、前記送信先に送信する送信ステップとを含み、前記送信先指定ステップにおいて、あらかじめ送信先に係る送信先情報及び送信先を指定する際に用いる送信先指定ルールを登録する事前登録ステップを含み、前記携帯電話から単一の電話番号をかけることで、所望の送信先に前記録画ファイルを送信することを特徴とする。
【０００８】
以上、説明したように、本発明の映像アップロードシステムによれば、端末のテレビ電話機能で単一の電話番号にかけ、予め登録したルール及び送信先の情報に基づき、場所、時間、録画容量など録画状態に応じて、録画目的に合った送信先が自動的に選択され、選択された送信先に録画ファイルが送信される。
また、本発明の映像アップロードシステムは、録画されたファイルの送信処理に必要な情報を格納するユーザプロファイルサーバ及び、録画処理機能と録画ファイルの送信機能を格納する録画サーバからなる。
【０００９】
また、ユーザプロファイルサーバは、事前に登録された送信先のアドレス、ファイル形式やプロトコルなど送信先の情報、及び、時間、場所、録画容量により、送信先を指定するルールを格納する。
また、録画サーバは、携帯端末からのテレビ電話での録画要求を受信すると、携帯端末の位置情報を取得し、現在の時刻と録画容量を確認した上で、これらの情報を利用したルールに従い、送信先を選択する。その際、ユーザの指示により、録画処理と録画されたデータのファイル化を行い、録画されたファイルを指定した送信先に送信する。あるいは、携帯端末の指示により、送信先の情報を手動的に指定することもできる。
【発明の効果】
【００１０】
本発明の映像アップロードシステムによれば、ユーザは携帯端末のテレビ電話を通じて、単一の電話番号をかけることで、録画が開始でき、録画目的に応じた送信先を自動的に選択されるか、意図的に送信先を指定することにより、送信先に録画ファイルを容易に送信することができる。
【発明を実施するための最良の形態】
【００１１】
以下、図面を参照して、本発明の実施形態に係る映像アップロードシステムについて詳細に説明する。
図１は、本発明の実施形態に係る映像アップロードシステムの構成を示すブロック図である。図２は、事前登録情報テーブルの内容を示す図、図３は、自動送信先指定処理を示すシーケンス図、図４は、手動送信先指定処理を示すシーケンス図である。
【００１２】
まず、図１を参照して、本発明の実施形態に係る映像アップロードシステムの構成について説明する。
このシステムは、携帯端末１００とユーザプロファイルサーバ２００と録画サーバ３００と送信先４００とからなり、ユーザは携帯端末１００のテレビ電話を通じて、単一の電話番号をかけることで録画を開始し、録画目的に応じた送信先４００を自動的に選択するか、あるいは意図的に送信先４００を指定することにより、送信先４００に録画ファイルを容易に送信する。送信先４００としては、ＦＴＰサーバ、ＷＥＢサーバ、メールサーバなどがある。
【００１３】
ユーザプロファイルサーバ２００は、端末１００からサービス開始・中止の情報と、アドレス、ファイル形式、又はプロトコルなど送信先４００の情報と、時間、場所、又は録画容量によって送信先４００を指定するルールとを受け付ける機能と、以上の登録情報を蓄積する機能とから構成されている。
録画サーバ３００は、回線終端機能３１０と、録画ファイル蓄積機能３２０と、送信先指定機能３３０と、位置情報管理機能３４０とから構成されている。
【００１４】
回線終端機能３１０は、電話回線の終端装置であり、携帯端末１００と録画サーバ３００の内部装置とのインタフェースである。回線終端機能３１０は、携帯端末１００から受信したＤＴＭＦ（Ｄｉａｌ  Ｔｏｎｅ  Ｍｕｌｔｉ  Ｆｒｅｑｕｅｎｃｙ）信号を検出し、ユーザの認証、位置情報の転送や録画開始・終了の制御、あるいは自動・手動の送信先指定等の制御を実施するため、回線終端機能３１０に接続される装置に伝えることができる。また、回線終端機能３１０は、音声また映像によるガイダンスを通して携帯端末１００に選択を促す機能を提供する。また、回線終端機能３１０は、ユーザ認証を実施するため、ユーザプロファイルサーバ２００とのインタフェースを持っている。
【００１５】
録画ファイル蓄積機能３２０は、回線終端機能３１０を経由で携帯端末１００から受信した録画ストリーミングデータを受信し、一時的に蓄積する。また、録画ファイル蓄積機能３２０は、ユーザプロファイルサーバ２００にあらかじめ登録されたファイル形式に基づき、録画ストリーミングデータのファイル形式変換を実施する。また、送信先指定機能３３０から送信指示を受信し、録画ファイルの送信を行う。
【００１６】
送信先指定機能３３０は、ユーザプロファイルサーバ２００に格納されるルールと、位置情報管理機能３４０にある携帯端末１００の現在の位置情報と、現在時刻を参照し、ユーザプロファイルサーバ２００に格納されている送信先４００を指定する。また、録画ファイル蓄積機能３２０に対して、録画ファイルの形式変換及び送信の要求を行う。
位置情報管理機能３４０は、回線終端機能３１０経由で、携帯端末１００から位置情報を受信し、一時的に保管する。
【００１７】
次に、図２を参照して事前登録情報テーブルについて説明する。
端末１００は、ユーザプロファイルサーバ２００にサービス登録を行う際、同時に、事前登録情報テーブルをアップデートする。事前登録情報テーブルは、送信先４００の情報と、送信先４００を指定するルールとを格納するテーブルである。この登録情報を利用し、録画サーバ３００は送信先４００の指定を行う。
【００１８】
送信先４００の情報は送信先４００のアドレス、送信先４００で利用されるファイル形式と、送信時利用されるプロトコルとからなるものである。アドレスは、メールアドレス、会社ウェブサーバアドレス、公共ウェブサーバアドレス、ホームサーバアドレスなど、ファイル形式は、ＭＰＥＧ４、Ｑｕｉｃｋｔｉｍｅ、ＭＰＥＧ２など、プロトコルは、ＳＭＴＰ、ＦＴＰ、ＨＴＴＰなどで指定する。
【００１９】
送信先４００を指定するルールは、場所、時間帯、最大容量、及び追加条件からなるものである。場所は、職場・自宅等、携帯端末１００から取得する位置情報と同様のフォーマットで定義されている。時間帯は、１０：００〜１７：００等の時間以外に、曜日、日付なども設定可能となる。最大容量は、ＭＢなどで表示し、送信先４００の録画容量制限を示している。また、追加条件を利用し、特定な条件を指定することができる。
【００２０】
例えば、事前登録情報テーブルにおいて、項目Ｉの送信先に録画ファイルを送信するには、１ＭＢという録画容量制限があり、１ＭＢを超える場合、項目IIの状況を満たす限り、項目IIの送信先に送信するという追加条件を設定可能となる。同様に、項目IIの送信先に録画ファイルを送信するには、１０ＭＢという録画容量制限があり、１０ＭＢを超える場合、項目IIIの条件を満たす限り、項目IIIの送信先に送信し、同様に、項目IIIの送信先に録画ファイルを送信するには、２０ＭＢという録画容量制限があり、２０ＭＢを超える場合、項目IVの条件を満たす限り、項目IVの送信先に送信するという追加条件を設定可能となる。なお、送信先が決まれば、保存先ＵＲＬをメールに添付し、項目Ｉの送信先に送信する。
【００２１】
次に、図３を参照して、自動送信先指定処理のステップについて詳細に説明する。
携帯端末１００を利用し、サービス開始登録、アドレス、ファイル形式やプロトコルなど送信先４００の情報及び、時間、場所、録画容量による送信先４００を指定するルールはすでに登録されているとする。
まず、ステップ（１）において、携帯端末１００は、接続要求を録画サーバ３００の回線終端機能３１０に送信する。
【００２２】
ステップ（２）において、回線終端機能３１０は接続要求から端末ＩＤを抽出し、ユーザプロファイルサーバ２００に、認証要求（端末ＩＤを含む）を送信する。
ステップ（３）において、ユーザプロファイルサーバ２００は端末ＩＤを利用し、認証を行い、回線終端機能３１０に認証応答を送信する。
ステップ（４）において、回線終端機能３１０は、携帯端末１００に接続応答を転送する。
【００２３】
ステップ（５）において、ここで、携帯端末１００からの録画要求が可能となる。録画したい時、携帯端末１００から回線終端機能３１０に録画開始要求（位置情報を含む）を送信する。接続の際、すぐ録画したい場合もあるため、認証応答を受信すると即座に、録画開始要求を端末１００から回線終端機能３１０に送信することも可能とする。この場合は、携帯端末１００では接続と同時に録画開始を行うというオプション設定を行う必要がある。
【００２４】
ステップ（６）において、回線終端機能３１０は、録画開始要求から位置情報を抽出し、端末ＩＤと関連付けて、位置情報管理機能３４０に送信する。
ステップ（７）において、位置情報管理機能３４０は、位置情報と関連付けられた端末ＩＤを蓄積し、回線終端機能３１０に位置情報登録済みの応答を送信する。回線終端機能３１０は、録画ファイル蓄積機能３２０への回線を設定する。
ステップ（８）において、回線終端機能３１０は携帯端末１００に録画可能であるという録画開始応答を送信する。
ステップ（９）において、ここで、携帯端末１００からの録画が始まる。携帯端末１００は、回線終端機能３１０を通じてストリーミングで録画データを録画ファイル蓄積機能３２０に送信し、蓄積させる。
【００２５】
ステップ（１０）において、携帯端末１００は、録画終了を回線終端機能３１０に要求すると、回線終端機能３１０は、録画ファイル蓄積機能３２０への回線を切断する。同時に、携帯端末１００は特定なボタン入力により、録画終了の要求信号とともに、送信先指定を自動的に行ってもらう要求信号を回線終端機能３１０に送信する。
ステップ（１１）において、回線終端機能３１０は、携帯端末１００から受信した信号を自動的な送信先指定として認識し、送信先指定機能３３０に送信要求（端末ＩＤを含む）の指示を与える。
【００２６】
ステップ（１２）において、送信先指定機能３３０は、ユーザプロファイルサーバ２００にルールと送信先４００の情報の要求（端末ＩＤを含む）を送信する。
ステップ（１３）において、ユーザプロファイルサーバ２００は、受信した端末ＩＤを参照し、端末ＩＤに対応したルールと送信先を送信先指定機能３３０に送信する。
ステップ（１４）において、送信先指定機能３３０は、位置情報管理機能３４０に位置情報の要求（端末ＩＤを含む）を送信する。
【００２７】
ステップ（１５）において、位置情報管理機能３４０は、受信した端末ＩＤを参照し、端末ＩＤに対応した位置情報を送信先指定機能３３０に送信する。
ステップ（１６）において、送信先指定機能３３０は、録画ファイル蓄積機能３２０に録画容量の要求（端末ＩＤを含む）を送信する。
ステップ（１７）において、録画ファイル蓄積機能３２０は、受信した端末ＩＤに参照し、端末ＩＤに対応した位置情報を送信先指定機能３３０に送信する。
【００２８】
ステップ（１８）において、送信先指定機能３３０は、現在の時刻を確認する。送信先指定機能３３０は、位置情報、録画容量、時刻を参照しながら、ルールを適用し、送信先を指定する。
ステップ（１９）において、送信先指定機能３３０は、録画ファイル蓄積機能３２０に指定した送信先を通知し、送信開始（端末ＩＤ、指定した送信先の情報を含む）を要求する。
【００２９】
ステップ（２０）において、録画ファイル蓄積機能３２０は、端末ＩＤに対応した録画ファイルを指定されたファイル形式に変換し、指定されたプロトコルで指定された送信先４００への送信を行う。
以上、自動的な送信先指定を行うことにより、ユーザは携帯端末のテレビ電話を通じて、単一の電話番号をかけることで、録画が開始でき、録画目的に応じた送信先が自動的に選択されることにより、送信先に録画ファイルを容易に送信することができる。
【００３０】
次に、図４を参照して、手動送信先指定処理のステップについて説明する。
ステップ（１）〜（９）は、図３に示すシーケンスによる説明と同様のため、省略する。
ステップ（２１）〜（２７）は以下のように説明する。なお、ステップ（１０）は、図３に示すステップ（１０）に相当する。
ステップ（１０）において、携帯端末１００は、特定なボタン入力により、録画終了の要求信号とともに、送信先指定を手動的に行う要求信号を回線終端機能３１０に送信する。回線終端機能３１０は要求信号を受信すると、録画ファイル蓄積機能３２０への回線を切断する。
【００３１】
ステップ（２１）において、回線終端機能３１０は、携帯端末１００から受信した信号を手動的な送信先指定として認識し、ユーザプロファイルサーバ２００に対して、送信先情報の要求（端末ＩＤを含む）を送信する。
ステップ（２２）において、ユーザプロファイルサーバ２００は、回線終端機能３１０の要求信号から携帯端末１００の端末ＩＤを抽出し、端末ＩＤに対応した送信先の情報を回線終端機能３１０に送信する。
ステップ（２３）において、回線終端機能３１０は取得した送信先４００の情報を利用し、端末１００に送信先情報の選択を促すように、音声や映像によるガイダンスを携帯端末１００に送信する。
【００３２】
ステップ（２４）において、携帯端末１００は、アドレス、ファイル形式、プロトコルなど送信先の情報を指定し、応答信号として回線終端機能３１０に送信する。
ステップ（２５）において、回線終端機能３１０は、送信先指定機能３３０に指定された送信先の情報を転送する。
ステップ（２６）において、送信先指定機能３３０は、録画ファイル蓄積機能３２０に指定された送信先の情報を通知し、送信開始（端末ＩＤを含む）を要求する。
【００３３】
ステップ（２７）において、録画ファイル蓄積機能３２０は、端末ＩＤに対応した録画ファイルを指定されたファイル形式に変換し、指定されたプロトコルで指定された送信先４００への送信を行う。
以上、手動的な送信先指定を行うことにより、ユーザは携帯端末のテレビ電話を通じて、単一の電話番号をかけることで、録画が開始でき、意図的に送信先を指定することにより、送信先に録画ファイルを容易に送信することができる。
以上、本発明の実施形態について説明してきたが、本発明はこの実施形態に限定されず、本発明の趣旨を逸脱しない範囲で種々の変更が可能である。
【図面の簡単な説明】
【００３４】
【図１】本発明の実施形態に係る映像アップロードシステムの構成を示すブロック図である。
【図２】事前登録情報テーブルの内容を示す図である。
【図３】自動送信先指定処理を示すシーケンス図である。
【図４】手動送信先所定処理を示すシーケンス図である。
【符号の説明】
【００３５】
１００…携帯端末、２００…ユーザプロファイルサーバ、３００…録画サーバ、３１０…回線終端機能、３２０…録画ファイル蓄積機能、３３０…送信元指定機能、３４０…位置情報管理機能、４００…送信先
【図１】
2006319579.tif 000003
【図２】
2006319579.tif 000004
【図３】
2006319579.tif 000005
【図４】
2006319579.tif 000006